(57)【特許請求の範囲】
【請求項１】
相手先装置との間でＩＴＵ−Ｔ勧告Ｖ．８に規定される手順を実行し、上記手順に基づいて、上記相手先装置との間で実行可能な画伝送モードを設定するファクシミリ通信装置において、
Ｖ．８手順によってＶ．２１手順の実行が決定されたときに、ＤＩＳ信号においてＶ．８受信機能無しとするとともに、所定条件で初期識別の制御手順を実行し、
上記所定条件で行う初期識別の制御手順として、
（１）ＣＭ信号によって指定されたＶ．１７、または、Ｖ．２９、または、Ｖ．２７ｔｅｒ通信能力とは無関係に、Ｖ．１７、Ｖ．２９、Ｖ．２７ｔｅｒ通信機能ありを表すＶ．２１のＤＩＳ信号を送信する手順、
（２）ＣＭ信号によって指定されたＶ．１７、または、Ｖ．２９、または、Ｖ．２７ｔｅｒ通信能力と、自機のこれらの変復調の機能とに従い、通信可能な変復調を決定し、通信可能な変復調を、Ｖ．２１のＤＩＳ信号で相手機に通知する手順、
のうちで、１つの手順を選択する手順選択手段を有することを特徴とするファクシミリ通信装置。
【請求項２】
相手先装置との間でＩＴＵ−Ｔ勧告Ｖ．８に規定される手順を実行し、上記手順に基づいて、上記相手先装置との間で実行可能な画伝送モードを設定するファクシミリ通信装置の制御方法において、
Ｖ．８手順によってＶ．２１手順の実行が決定されたときに、ＤＩＳ信号においてＶ．８受信機能無しとするとともに、所定条件で初期識別の制御手順を実行し、
上記所定条件で行う初期識別の制御手順として、
（１）ＣＭ信号によって指定されたＶ．１７、または、Ｖ．２９、または、Ｖ．２７ｔｅｒ通信能力とは無関係に、Ｖ．１７、Ｖ．２９、Ｖ．２７ｔｅｒ通信機能ありを表すＶ．２１のＤＩＳ信号を送信する手順、
（２）ＣＭ信号によって指定されたＶ．１７、または、Ｖ．２９、または、Ｖ．２７ｔｅｒ通信能力と、自機のこれらの変復調の機能とに従い、通信可能な変復調を決定し、通信可能な変復調を、Ｖ．２１のＤＩＳ信号で相手機に通知する手順、
のうちで、１つの手順を選択する手順選択手段を有することを特徴とするファクシミリ通信装置の制御方法。
【発明の詳細な説明】
【０００１】
【発明の属する技術分野】
本発明は、ファクシミリ通信方式、特にＩＴＵ−Ｔ勧告Ｖ．８通信が可能なファクシミリ通信方式に関する。
【０００２】
【従来の技術】
１９９４年、ＩＴＵ−Ｔにおいて、勧告Ｖ．８が成立し、このＶ．８に規定される手順をファクシミリ装置に適用することが考えられる。
【０００３】
このＶ．８による手順が適用されるファクシミリ装置としては、Ｖ．３４に規定される手順、画伝送をサポートするファクシミリ装置が対象とされている。ここで、その後、Ｖ．８において、Ｖ．１７の記載はあるものの明確に通信が決められていない。
【０００４】
【発明が解決しようとする課題】
しかし、受信機がＶ．３４通信をサポートし、着信時、ＡＮＳａｍ信号を送信し、送信機から、Ｖ．３４通信不可を指定されたＣＭ信号を受信した場合、明確には、その後のＶ．８通信手順が決まっていないので、Ｖ．２１のＤＩＳ信号で送信するＤＩＳ信号の受信可能変復調の決定が不明確であるという問題がある。
【０００５】
本発明は、受信機がＶ．３４通信をサポートし、着信時、ＡＮＳａｍ信号を送信し、送信機から、Ｖ．３４通信不可を指定されたＣＭ信号を受信した場合、Ｖ．２１のＤＩＳ信号で送信するＤＩＳ信号の受信可能変復調の決定を明確にすることができるファクシミリ通信装置を提供することを目的とするものである。
【０００６】
【課題を解決するための手段】
本発明は、相手先装置との間でＩＴＵ−Ｔ勧告Ｖ．８に規定される手順を実行し、上記手順に基づいて、上記相手先装置との間で実行可能な画伝送モードを設定するファクシミリ通信装置において、Ｖ．８手順によってＶ．２１手順の実行が決定されたときに、ＤＩＳ信号においてＶ．８受信機能無しとするとともに、所定条件で初期識別の制御手順を実行し、上記所定条件で行う初期識別の制御手順として、
（１）ＣＭ信号によって指定されたＶ．１７、または、Ｖ．２９、または、Ｖ．２７ｔｅｒ通信能力とは無関係に、Ｖ．１７、Ｖ．２９、Ｖ．２７ｔｅｒ通信機能ありを表すＶ．２１のＤＩＳ信号を送信する手順、
（２）ＣＭ信号によって指定されたＶ．１７、または、Ｖ．２９、または、Ｖ．２７ｔｅｒ通信能力と、自機のこれらの変復調の機能とに従い、通信可能な変復調を決定し、通信可能な変復調を、Ｖ．２１のＤＩＳ信号で相手機に通知する手順、
のうちで、１つの手順を選択する手順選択手段を有するファクシミリ通信装置である。
また、本発明は、相手先装置との間でＩＴＵ−Ｔ勧告Ｖ．８に規定される手順を実行し、上記手順に基づいて、上記相手先装置との間で実行可能な画伝送モードを設定するファクシミリ通信装置の制御方法において、Ｖ．８手順によってＶ．２１手順の実行が決定されたときに、ＤＩＳ信号においてＶ．８受信機能無しとするとともに、所定条件で初期識別の制御手順を実行し、上記所定条件で行う初期識別の制御手順として、
（１）ＣＭ信号によって指定されたＶ．１７、または、Ｖ．２９、または、Ｖ．２７ｔｅｒ通信能力とは無関係に、Ｖ．１７、Ｖ．２９、Ｖ．２７ｔｅｒ通信機能ありを表すＶ．２１のＤＩＳ信号を送信する手順、
（２）ＣＭ信号によって指定されたＶ．１７、または、Ｖ．２９、または、Ｖ．２７ｔｅｒ通信能力と、自機のこれらの変復調の機能とに従い、通信可能な変復調を決定し、通信可能な変復調を、Ｖ．２１のＤＩＳ信号で相手機に通知する手順、
のうちで、１つの手順を選択する手順選択手段を有するファクシミリ通信装置の制御方法である。
【０００７】
【発明の実施の形態および実施例】
まず、ＩＴＵ−Ｔによって勧告化されているＶ．８の手順信号について説明する。
【０００８】
Ｖ．８の手順信号には、起呼メニュー信号（以下、「ＣＭ」という）と、ＣＭ終端子（以下、「ＣＪ」という）と、共通メニュー信号（以下、「ＪＭ」という）とが含まれている。
【０００９】
ＣＭは、起呼ＤＣＥから送信される信号であり、主に起呼ＤＥＣで利用可能な変調方式を表示するために使用され、勧告Ｖ．２１で定義された低域チャンネルＶ．２１（Ｌ）によって変調された３００ｂｉｔ／ｓの反復ビット列で構成されている。
【００１０】
ＣＪは、ＪＭを検出した確認と、ＣＭの終了とを示す信号であり、３００ｂｉｔ／ｓのＶ．２１（Ｌ）で変調され、スタートｂｉｔ／ｓと、ストップｂｉｔ／ｓとを含んだ連続する３つの総て「０」のオクテットによって構成されている。
【００１１】
ＪＭは、応答ＤＥＣから送信される信号であり、主に起呼と応答ＤＥＣとで共通した利用可能な変調方式を示すために使用され、勧告Ｖ．２１で定義された高域チャンネルＶ．２１（Ｈ）によって変調された３００ｂｉｔ/sの反復ビット列で構成されている。
【００１２】
次に、ＣＭ、ＣＪ、ＪＭの各信号の符号化フォーマットについて説明する。
【００１３】
図７は、ＩＴＵ−Ｔ勧告Ｖ．８の手順信号に含まれるプリアンブルの構成を示す図である。
【００１４】
ＣＭ、ＣＪ、ＪＭには、共通の符号化フォーマットが使用され、各信号ＣＭ、ＣＪ、ＪＭは、繰り返すビットシーケンスで構成されている。１つのシーケンスは、図７に示すように、最初１０個の「１」と、それに続く１０ビットの同期符号と、さらに続く情報を載せたオクテットとによって構成されている。各オクテットのそれぞれには、先行するスタートビット（「０」）と、後続するストップビット（「１」）とが付加される。
【００１５】
ＪＭには、同じＶ．２１（Ｈ）変調を使用している勧告Ｔ．３０との混乱を避けるために、そのビット配置に、ＨＤＬＣフラグ（０１１１１１１０）が決して現れないような符号制約条件が課せられている。
【００１６】
各オクテットは、ある１つの情報カテゴリに属する。大多数の応用によって信号の簡潔さが守られるならば、特別の応用のために、情報カテゴリが拡張されることを、この符号化フォーマットは許容している。
【００１７】
１つのシーケンスの最初の情報カテゴリは、起呼機能でなければならない。それに後続する情報カテゴリの中では、順序は規定されない。１つのカテゴリの中の総ての情報は、１オクテット、または必要であれば、順序が決められた１つのオクテット・シーケンスで伝達される。
【００１８】
次に、カテゴリオクテットについて説明する。
【００１９】
図８は、ＩＴＵ−Ｔ勧告Ｖ．８の手順信号の情報カテゴリを決定するカテゴリオクテットのフォームを示す図である。
【００２０】
カテゴリオクテットは、新たな情報カテゴリの中で最初に発生されるオクテットであり、情報カテゴリを決定する４ビットの符号を含んでいる。
【００２１】
このフォーマットは、以下のように構成され、表示されたビットは、左から右の順番で送信される。
【００２２】
スタートビット  （０）  ｂ０  ｂ１  ｂ２  ０  １  ０  ｂ６  ｂ７  ストップビット  （１）
ビットｂ０〜ｂ３は、図８に示すように、ｂ０を最下位ビットとしたカテゴリを形成し、ビットｂ４は、フラグが成立しないように「０」に設定され、ｂ５〜ｂ７は、情報カテゴリのオプションビットである。
【００２３】
３つのオプションビットで特定のカテゴリを表すときに不足する場合は、カテゴリオクテットの直後に、拡張オクテットをいくつでも続けることができる。
【００２４】
この拡張オクテットのフォーマットは、以下に示すように構成される。
【００２５】
スタートビット  （０）  ｂ０  ｂ１  ｂ２  ０  １  ０  ｂ６  ｂ７  ストップビット  （１）
ビットｂ０〜ｂ２、ｂ６、ｂ７は、そのときのカテゴリに追加される５つのビットである。ビットｂ４は、カテゴリオクテットから拡張オクテットを区別するために、「１」に設定され、ｂ３とｂ５とは、フラグが成立しないように「０」に設定される。
【００２６】
次に、ビットｂ０〜ｂ３で決定される情報カテゴリである起呼機能、変調モード、プロトコル、ＧＳＴＮアクセスについて説明する。
【００２７】
図９は、起呼機能オクテットのビットの使用例を示す図である。
【００２８】
起呼機能オクテットの中の３つのオプションビットは、図９に示すように、特定の起呼機能を指定するために、使用されている。
【００２９】
図１０は、ＩＴＵ−Ｔ勧告Ｖ．８の手順信号で指定する変調モードを示す図である。
【００３０】
ＧＳＴＮで使用可能なＶシリーズ変調モードは、図１０に示すように、３つの符号で指定される。使用可能であるという設定は、表示された起呼機能の中で、その変調モードが使用可能であり、かつ遠隔ＤＣＥに対しその能力を伝えたいと望む場合に限られる。
【００３１】
図１１は、ＩＴＵ−Ｔ勧告Ｖ．８の手順信号のプロトコルカテゴリ内部の符号一覧を表す図である。
【００３２】
プロトコルカテゴリ内部の符号一覧は、図１１に表されている。もし、ＬＡＰＭプロトコル符号がＣＭで示され、それを受け取った応答ＤＣＥ側が同じくＬＡＰＭを使用したい場合は、ＪＭでもＬＡＰＭを表示するプロトコルオクテットが表示される。
【００３３】
図１２は、ＩＴＵ−Ｔ勧告Ｖ．８の手順信号のＧＳＴＮに接続するセルラーアクセスを示す符号を表す図である。
【００３４】
ＧＳＴＮに接続するセルラーアクセスを表示する符号は、図１２に示されている。
【００３５】
次に、Ｖ．３４に規定されるＩＮＦＯ０の情報ビットについて説明する。
【００３６】
図１３は、ＩＴＵ−Ｔ勧告によるＶ．３４のＩＮＦＯ０シーケンスのビット定義を示す図である。
【００３７】
ＩＮＦＯ０は、送信能力を表示するために使用される信号であり、その信号シーケンスのビットは、図１３に示すように、定義されている。
【００３８】
なお、本実施例では、ＩＮＦＯ０ａは、被呼側から送出する信号であり、ＩＮＦＯ０ｃは、発呼側から送出する信号である。
【００３９】
［第１の実施例］
図１は、本発明の第１の実施例であるファクシミリ装置ＦＳ１の構成を示すブロック図である。
【００４０】
ファクシミリ装置ＦＳ１は、電話回線２ａに接続されている網制御装置（以下、ＮＣＵという。）２を備える。ＮＣＵ２は、電話網をデータ通信などに使用するために、回線端末へ接続する等の電話交換網の接続制御、データ通信路への切替を行い、電話回線２ａと電話機４との接続と、電話回線２ｂとハイブリッド回路６との接続とを、選択的に切り換える。
【００４１】
ＮＣＵ２と電話機４とは、信号線２ｂで接続され、ＮＣＵ２とハイブリッド回路６とは、信号線２ｃで接続されている。ＮＣＵ２の切換動作は、後述する制御回路２０が制御する。
【００４２】
信号線２０ａを介して、制御回路２０から与えられる制御信号が「０」であると、電話回線２ａと電話機４とが接続され、制御信号が「１」であると、電話回線２ａとハイブリッド回路６とが接続される。なお、通常状態では、電話回線２ａと電話機４とが接続されている。
【００４３】
ハイブリッド回路６は、電話回線２ａを介して送信される送信系からの送信信号と、電話回線２ａを介して受信される受信系への受信信号とを分離する。送信系は、ＣＣＤ（電化結合素子）等の撮像素子と、光学系によって構成される読取回路１４と、ＡＮＳａｍ送出回路１０とを有する。
【００４４】
読取回路１４は、送信原稿から主走査方向の１ライン分の画像を、順次、読取り、この読み取られた画像を示すデータを、信号線１４ａに出力する。
【００４５】
ＡＮＳａｍ送出回路１０は、信号線２０ｄを介して、制御回路２０からレベル「１」の信号が与えられると、信号線１０ａにＡＮＳａｍ信号を出力する。これに対し、信号線２０ｄを介して、制御回路２０からレベル「０」の信号が与えられると、信号線１０ａへのＡＮＳａｍ信号の出力は行われない。
【００４６】
信号線１４ａを介して読取回路１４から出力されたデータは、制御回路２０に与えられる。制御回路２０は、信号線１４ａを介して取り込まれたデータに符号化処理を施し、この符号化されたデータは、信号線２０ｂを介して、変復調器８に出力される。
【００４７】
変復調器８は、信号線２０ｂからの符号化されたデータに変調処理を施し、変調信号を生成するとともに、信号線６ａを介してハイブリッド回路６から取り込まれた受信信号に復調処理を施し、復調データを生成する。この変調処理と復調処理とは、ＩＴＵ−Ｔ勧告Ｖ．８、Ｖ．２１、Ｖ．２７ｔｅｒ、Ｖ．２９、Ｖ．１７、Ｖ．３４に基づいて行われる。変復調器８による変調、復調処理の内容は、信号線２０ｃを介して制御回路２０から与えられる信号によって指示され、この指示された変調、復調処理によって伝送モードが決定される。
【００４８】
変復調器８で生成された変調信号は、信号線８ａを介して、加算回路１２に与えられる。加算回路１２は、変復調器８からの変調信号と、ＡＮＳａｍ送出回路１０からのＡＮＳａｍ信号とを加算する。この加算された信号は、信号線１２ａを介して、ハイブリッド回路６に出力され、ハイブリッド回路６は、上記加算された信号を、ＮＣＵ２経由で、送信信号として電話回線２ａに送出する。
【００４９】
これに対し、受信系では、ＮＣＵ２経由で相手装置から受信した信号が、信号線６ａを介してハイブリッド回路６から変復調器８に出力される。変復調器８は、上記のように、信号線６ａを介して取り込まれた受信信号に復調処理を施し、復調データを生成する。変復調器８で生成された復調データは、信号線８ｂを介して、制御回路２０に与えられる。制御回路２０は、復調データに復号化等の処理を施し、復号化されたデータは、信号線２０ｅを介して、記録回路１６に与えられる。
【００５０】
記録回路１６は、復号化されたデータが示す画像を、１ライン毎に順次、記録紙に記録する。
【００５１】
読取回路１４で読み取られたデータ、そのデータを符号化したデータ、受信したデータ、そのデータを復号化したデータは、必要に応じて、メモリ回路１８に格納される。
【００５２】
制御回路２０は、相手先装置からの情報を受信し、相手先装置へ情報を送信する伝送制御を行う。
【００５３】
この伝送制御を規定する伝送制御手順には、ＩＴＵ−Ｔ勧告Ｖ．８、Ｖ．２１、Ｖ．２７ｔｅｒ、Ｖ．２９、Ｖ．１７、Ｖ．３４の各手順が用いられている。
【００５４】
具体的には、相手先装置との間でＩＴＵ−Ｔ勧告Ｖ．８に規定される手順を実行し、その手順に基づき上記相手先装置との間で実行可能な画伝送モードを設定するファクシミリ通信装置にて、Ｖ．８手順においてＶ．２１手順の実行が決定されたときに、所定条件での初期識別の制御手順を実行する。
【００５５】
より具体的には、所定条件での初期識別の制御手順として、ＣＭ信号によって指定されたＶ．１７、または、Ｖ．２９、または、Ｖ．２７ｔｅｒ通信能力に無関係に、自機の有する通信能力を、Ｖ．１７、または、Ｖ．２９、またはＶ．２７ｔｅｒ通信の中から決定し、Ｖ．２１のＤＩＳ信号の送信で相手機に通知する手順である。
【００５６】
たとえば、自機がＶ．１７、Ｖ．２９、Ｖ．２７ｔｅｒ通信機能を有している場合、Ｖ．２１の所定条件での初期識別の制御手順は、ＣＭ信号によって指定されたＶ．１７、または、Ｖ．２９、または、Ｖ．２７ｔｅｒ通信能力に無関係に、Ｖ．１７、Ｖ．２９、Ｖ．２７ｔｅｒ通信機能ありを表すＶ．２１のＤＩＳ信号を送信する手順である。
【００５７】
また、Ｖ．３４通信を有効にするか否かを選択する手段を有し、Ｖ．２１の所定条件での初期識別の制御手順は、ＣＭ信号によって指定されたＶ．１７、または、Ｖ．２９、または、Ｖ．２７ｔｅｒ通信能力に無関係に、Ｖ．３４通信を有効にしない初期識別信号の送信へ移行する手順である。
【００５８】
図２、図３、図４は、ファクシミリ装置ＦＳ１の制御動作を示すフローチャートである。
【００５９】
Ｓ２では、信号線２０ａにレベル「０」の信号を出力し、ＣＭＬをオフし、Ｓ４では、信号線２０ｄにレベル「０」の信号を出力することによって、ＡＮＳａｍ信号を出力しないように設定する。
【００６０】
Ｓ６では、着呼が選択されたか否かを判定し、着呼が選択されないと、ステップＳ８が実行され、着呼が選択されると、ステップＳ１０が実行される。
【００６１】
Ｓ８では、その他の処理が実行され、その他の処理を実行した後に、ステップＳ２に戻る。
【００６２】
Ｓ１０では、信号線２０ａにレベル「１」の信号を出力し、ＣＭＬをオンし、Ｓ１２では、タイマＴ１に３５秒をセットし、Ｓ１４では、メモリ１８に格納されている情報を入力し、Ｖ．３４通信の禁止が選択されているか否かを判断し、Ｖ．３４通信の禁止が選択されていれば、ステップＳ２４に進み、Ｖ．３４通信の禁止が選択されていなければ、ステップＳ１６に進む。
【００６３】
Ｓ１６では、信号線２０ｄにレベル「１」の信号を出力することによって、ＡＮＳａｍ信号を出力するように設定し、Ｓ１８では、タイマに５秒をセットし、Ｓ２０では、ＣＭ信号を受信したか否かを判断し、ＣＭ信号を受信していれば、ＡＮＳａｍ信号の送信を止めた後に、ステップＳ５０に進み、ＣＭ信号を受信していなければ、ステップＳ２２に進む。
【００６４】
Ｓ２２では、タイマがタイムオーバしたか否かを判断し、タイマがタイムオーバしていれば、ＡＮＳａｍ信号の送信を止めた後に、ステップＳ２６に進み、タイマがタイムオーバしていなければ、ステップＳ２０に進む。
【００６５】
Ｓ２４では、ＣＥＤ信号の送信を表し、Ｓ２６では、Ｖ．２１信号での（ＮＳＦ／ＣＳＩ／）ＤＩＳ信号の送信を表し、ここで、Ｖ．２７ｔｅｒ、Ｖ．２９、Ｖ．１７全て通信可を通知し、また、Ｖ．８の受信機能無しを通知し、Ｓ２８では、タイマＴ４に３秒をセットする。
【００６６】
Ｓ３０では、Ｖ．２１信号での（ＴＳＩ／）ＤＣＳ信号を受信したか否かを判断し、Ｖ．２１信号での（ＴＳＩ／）ＤＣＳ信号を受信していれば、ステップＳ３２に進み、Ｖ．２１信号での（ＴＳＩ／）ＤＣＳ信号を受信していなければ、ステップＳ４２に進む。
【００６７】
Ｓ３２では、Ｔｒ／ＴＣＦ信号を受信し、Ｓ３４では、受信良好であるか否かを判断し、受信良好であれば、ステップＳ３６に進み、受信良好でなければ、ステップＳ４４に進む。
【００６８】
Ｓ３６では、ＣＦＲ信号を送信し、Ｓ３８では、画信号の受信／記録を表し、Ｓ４０では、後手順を表し、Ｓ４２では、Ｔ４タイマがタイムオーバしたか否かを判断し、Ｔ４タイマがタイムオーバしていれば、ステップＳ４８に進み、Ｔ４タイマがタイムオーバしていなければ、ステップＳ３０に進む。
【００６９】
Ｓ４４では、ＦＴＴ信号を送信し、Ｓ４６では、Ｔ１タイマがタイムオーバしたか否かを判断し、Ｔ１タイマがタイムオーバしていれば、ステップＳ２に進み、Ｔ１タイマがタイムオーバしていなければ、ステップＳ２８に進む。
【００７０】
Ｓ４８では、Ｔ１タイマがタイムオーバしたか否かを判断し、Ｔ１タイマがタイムオーバしていると、ステップＳ２に進み、Ｔ１タイマがタイムオーバしていなければ、ステップＳ２６に進む。
【００７１】
Ｓ５０では、受信したＣＭ信号に基づいて判断し、Ｖ．３４半二重通信が可能であるか否かを判断し、Ｖ．３４半二重通信が可能であれば、ステップＳ５２に進み、Ｖ．３４半二重通信が可能でなければ（ここで、Ｖ．２１通信は可とし、また、Ｖ．２７ｔｅｒ、または、Ｖ．２９、または、Ｖ．１７通信は可であるとする）、ステップＳ５８に進む。
【００７２】
Ｓ５２では、Ｖ．２１、Ｖ．２７ｔｅｒ、Ｖ．２９半二重、Ｖ．１７、Ｖ．３４半二重通信が可能を指定するＪＭ信号を送信し、Ｓ５４では、ＣＪ信号を受信し、Ｓ５６では、ＩＮＦＯ０ａの送信、以後、Ｖ．３４の手順、画信号の受信を実行する。
【００７３】
Ｓ５８では、Ｖ．２１、Ｖ．２７ｔｅｒ、Ｖ．２９半二重、Ｖ．１７通信の中で、ＣＭ信号で可を指定している通信が可能を指定するＪＭ信号を送信し、Ｓ６０では、ＣＪ信号を受信する。
【００７４】
Ｓ６２では、操作部の情報を入力し、Ｖ．３４通信の禁止の登録が選択されたか否かを判断し、Ｖ．３４通信の禁止の登録が選択されていれば、ステップＳ６４に進み、Ｖ．３４通信の禁止の登録が選択されていなければ、ステップＳ２に進む。
【００７５】
Ｓ６４では、Ｖ．３４通信を禁止する／しないを、メモリ１８に登録し、ここで、デフォルト値は、禁止しないと登録する。
【００７６】
次に、上記伝送制御手順について説明する。
【００７７】
図５は、ファクシミリ装置ＦＳ１に適用される伝送制御手順の一例を示す図である。
【００７８】
まず、被呼端末からＡＮＳａｍ信号を受信してから、Ｖ．３４の手順、画伝送を実行するまでの伝送制御手順について説明する。
【００７９】
図５を参照するに、被呼端末から全二重通信を可能にする信号（ＡＮＳａｍ信号であって２１００Ｈｚを１５Ｈｚで変調した信号）が送出される。発呼側からは、Ｖ．８に基づく変調によるＣＭ信号が送出され、このＣＭ信号によって画伝送時に実行可能な伝送モードが被呼端末に通知される。
【００８０】
ＣＭ信号を受信した被呼端末は、ＣＭ信号で指定された伝送モードの中で、受信可能な伝送モード（Ｖ．３４）を発呼端末に通知し、この通知にＪＭ信号が用いられる。
【００８１】
ＪＭ信号を受信した発呼端末は、ＣＪ信号を送出することによって、伝送モードを被呼端末に通知する。
【００８２】
ＣＪ信号を送出した後に、すなわちＶ．８手順が完了してから、５０ｍｓｅｃが経過した後に、発呼端末は、Ｖ．３４手順の実行を開始し、電話回線２ａの状況をチェックするためのラインプルービング信号（先頭にＩＮＦＯ０ｃが付加されている）を送出する。被呼端末は、発呼端末から受信したラインプルービング信号に応答した信号（先頭にＩＮＦＯ０ａが付加されている）を送出し、この信号によって、以後の送出レベル、振幅レベルの補正、伝送ボーレートを発呼端末に通知する。
【００８３】
発呼端末は、ラインプルービング信号を送出してから、５０ｍｓｅｃが経過した後に、ロングトレーニング信号を送出し、被呼端末は、このロングトレーニング信号に基づいて、モデムの等化器の調整、タイミング検出等を実施する。
【００８４】
発呼端末は、ロングトレーニング信号を送出してから、５０ｍｓｅｃが経過した後に、パラメータ交換信号を送出する。被呼端末は、パラメータ交換信号に応答した信号を送出し、この信号によって、以後のリンク補正、ビットレートを発呼端末に通知する。
【００８５】
パラメータ交換信号に応答した後、被呼端末は、ＣＳＩ、ＤＩＳ信号を送出し、発呼端末からＴＳＩ、ＤＣＳ信号を受信するまで、フラグを送出し、ＴＳＩ、ＤＣＳ信号受信後、ＣＦＲ信号を送出する。発呼端末は、ＣＳＩ、ＤＩＳ信号を受信した後、ＴＳＩ、ＤＣＳ信号を送出し、被呼端末からＣＦＲ信号を受信するまで、フラグを送出する。
【００８６】
発呼端末は、フラグを送出してから、５０ｍｓｅｃ経過後に、Ｖ．３４による画伝送を開始し、画信号を送出する。画信号の送出を終了してから、５０ｍｓｅｃ経過後に、Ｖ．３４による手順が実行され、発呼端末から、ＰＰＳ−ＭＰＳ信号が送出され、被呼端末からのＭＣＦ信号を受信するまで、フラグが送出される。被呼端末は、ＰＰＳ−ＭＰＳ信号を受信した後に、ＭＣＦ信号を送出する。
【００８７】
フラグを送出してから、５０ｍｓｅｃ経過後に、Ｖ．３４による画伝送が実行され、発呼端末からは、再び、画信号が送出される。画信号の送出を終了してから５０ｍｓｅｃ経過後に、Ｖ．３４による手順が実行され、発呼端末は、ＰＰＳ−ＥＯＰ信号を送出し、ＭＣＦ信号を受信するまで、フラグを送出する。被呼端末は、ＰＰＳ−ＥＯＰ信号を受信した後に、ＭＣＦ信号を送出する。以降、同様の手順が、画伝送の終了まで繰り返される。
【００８８】
次に、被呼端末からのＡＮＳａｍ信号の受信から、Ｖ．２１の手順、Ｖ．１７の画伝送の実行までの伝送制御手順について、説明する。
【００８９】
図６は、ファクシミリ装置ＦＳ１に適用される伝送制御手順の他の例を示す図である。
【００９０】
図６を参照するに、まず、被呼端末は、ＡＮＳａｍを送信し、発呼端末は、Ｖ．３４半二重通信と、Ｖ．１７通信不可能なＣＭ信号（Ｖ．２１、Ｖ．２７ｔｅｒ、Ｖ．２９半二重通信は可能）とを送信する。
【００９１】
このときに、受信機は、ＡＮＳａｍ信号の送信を中断し、Ｖ．３４半二重通信と、Ｖ．１７通信不可能なＪＭ信号（Ｖ．２１、Ｖ．２７ｔｅｒ、Ｖ．２９半二重通信は可能）とを送信する。送信機は、ＪＭ信号に応答して、ＣＪ信号を送信する。受信機は、ＣＪ信号を受信すると、Ｖ．２７ｔｅｒ、Ｖ．２９、Ｖ．１７の受信機能が有り、Ｖ．８受信機能が無しを示すＤＩＳ信号を、Ｖ．２１で送信する。
【００９２】
送信機は、Ｖ．２９送信を、ＤＣＳ信号によって指定する。
【００９３】
［第２の実施例］
本発明の第２の実施例は、第１の実施例において、所定条件での初期識別の制御手順としては、ＣＭ信号によって指定されたＶ．１７、または、Ｖ．２９、または、Ｖ．２７ｔｅｒ通信能力と、自機のこれらの変復調の機能とに従い、通信可能な変復調を決定し、通信可能な変復調を、Ｖ．２１のＤＩＳ信号で相手機に通知する実施例である。
【００９４】
図６は、第１の実施例に対して、被呼端末は、Ｖ．２１で送信するＤＩＳ信号は、Ｖ．２７ｔｅｒ、Ｖ．２９の受信機能が有り、Ｖ．８受信機能が無しとなる。
【００９５】
図１４は、図２〜図４に示すフローチャートと異なる部分の制御の流れを示す図である。
【００９６】
Ｓ７０は、Ｓ６０を表し、Ｓ７２では、Ｖ．２１信号での（ＮＳＦ／ＣＳＩ／）ＤＩＳ信号の送信を表し、ここで、Ｖ．２７ｔｅｒ、Ｖ．２９、Ｖ．１７の中で、ＣＭ信号で通信可となった通信モードを通信可として通知し、また、Ｖ．８の受信機能無しを通知する。
【００９７】
Ｓ７４では、タイマＴ４に３秒をセットし、Ｓ７６では、Ｖ．２１信号での（ＴＳＩ／）ＤＣＳ信号を受信したか否かを判断し、Ｖ．２１信号での（ＴＳＩ／）ＤＣＳ信号を受信していれば、ステップＳ７８に進み、Ｖ．２１信号での（ＴＳＩ／）ＤＣＳ信号を受信していなければ、ステップＳ９０に進む。
【００９８】
Ｓ７８では、Ｔｒ／ＴＣＦ信号を受信し、Ｓ８０では、受信良好であるか否かを判断し、受信良好であれば、ステップＳ８２（Ｓ３６）に進み、受信良好でなければ、ステップＳ８４に進む。
【００９９】
Ｓ８４では、ＦＴＴ信号を送信し、Ｓ８６では、Ｔ１タイマがタイムオーバしたか否かを判断し、Ｔ１タイマがタイムオーバしていれば、ステップＳ８８（Ｓ２）に進み、Ｔ１タイマがタイムオーバしていなければ、ステップＳ７４に進む。
【０１００】
Ｓ９０では、Ｔ４タイマがタイムオーバしたか否かを判断し、Ｔ４タイマがタイムオーバしていれば、ステップＳ９２に進み、Ｔ４タイマがタイムオーバしていなければ、ステップＳ７６に進む。
【０１０１】
Ｓ９２では、Ｔ１タイマがタイムオーバしたか否かを判断し、Ｔ１タイマがタイムオーバしていれば、ステップＳ９４（Ｓ２）に進み、Ｔ１タイマがタイムオーバしていなければ、ステップＳ７２に進む。
【０１０２】
［第３の実施例］
本発明の第３の実施例は、第１の実施例において、所定条件での初期識別の制御手順として、第１の実施例の制御を実行するか、第２の実施例の制御を実行するかを選択する手段を有し、この選択に基づいて、Ｖ．８手順で、Ｖ．２１手順が決定されたときにおけるＶ．２１でのＤＩＳ信号のＦＩＦの内容を決定する実施例である。
【０１０３】
図１５は、図２〜図４、図１４に示す流れと異なる部分の制御の流れを示す図である。
【０１０４】
Ｓ９０では、Ｓ６２のＮＯを表し、Ｓ９２では、操作部の情報を入力し、Ｖ．８手順で、Ｖ．２１手順が決定されたときにおけるＶ．２１でのＤＩＳ信号のＦＩＦの内容を登録することが選択されたか否かを判断し、ＦＩＦの内容を登録することが選択されていれば、ステップＳ９４に進み、ＦＩＦの内容を登録することが選択されていなければ、ステップＳ９６（Ｓ２）に進む。
【０１０５】
Ｓ９４では、Ｖ．８でＶ．３４半二重通信不可時におけるＤＩＳ信号は、受信機の最大機能の宣言、または、送信機と受信機の最大機能の宣言（ＡＮＤ条件）とするかを、メモリ１８に登録し、ここで、デフォルト値は、受信機の最大機能の宣言と登録する。
【０１０６】
Ｓ９６では、Ｓ２を表し、Ｓ９８では、Ｓ６０を表し、Ｓ１００では、Ｖ．８でＶ．３４半二重通信不可時におけるＤＩＳ信号の送信の登録を判定し、受信機の最大機能の宣言と記憶されていれば、ステップＳ１０２（Ｓ２６）に進み、送信機と受信機の最大機能の宣言（ＡＮＤ条件）と記憶されていれば、ステップＳ１０４（Ｓ７２）に進む。
【０１０７】
なお、上記実施例を、ファクシミリ装置以外の通信装置に適用するようにしてもよい。
【０１１０】
【発明の効果】
本発明によれば、受信機がＶ．３４通信をサポートし、着信時に、ＡＮＳａｍ信号を送信し、送信機から、Ｖ．３４通信不可を指定されたＣＭ信号を受信した場合、Ｖ．８通信手順を実行した後に、Ｖ．２１のＤＩＳ信号では、相手側のＣＭ信号によって指定された変復調とは無関係に、自機が、Ｖ．３４通信を実行しない時におけるプロトコルへ移行、または、相手側のＣＭ信号によって指定された変復調機能と自機の変復調とによって、適切に決定できるユーザ選択が可能になり、特定送信機が誤動作した場合の対応が可能になるという効果を奏する。
【図面の簡単な説明】
【図１】本発明の第１の実施例であるファクシミリ装置ＦＳ１の構成を示すブロック図である。
【図２】ファクシミリ装置ＦＳ１の動作を示すフローチャートである。
【図３】ファクシミリ装置ＦＳ１の動作を示すフローチャートである。
【図４】ファクシミリ装置ＦＳ１の動作を示すフローチャートである。
【図５】ファクシミリ装置ＦＳ１に適用される伝送制御手順の一例を示す図である。
【図６】本発明の第２の実施例の動作を示すフローチャートであり、図２〜図４に示すフローチャートと異なる部分のみを示すフローチャートである。
【図７】ＩＴＵ−Ｔ勧告Ｖ．８の手順信号に含まれるプリアンブルの構成を示す図である。
【図８】ＩＴＵ−Ｔ勧告Ｖ．８の手順信号の情報カテゴリを決定するカテゴリオクテットのフォームを示す図である。
【図９】起呼機能オクテットのビットの使用例を示す図である。
【図１０】ＩＴＵ−Ｔ勧告Ｖ．８の手順信号で指定する変調モードを示す図である。
【図１１】ＩＴＵ−Ｔ勧告Ｖ．８の手順信号のプロトコルカテゴリ内部の符号一覧を表す図である。
【図１２】ＩＴＵ−Ｔ勧告Ｖ．８の手順信号のＧＳＴＮに接続するセルラーアクセスを示す符号を表す図である。
【図１３】ＩＴＵ−Ｔ勧告によるＶ．３４のＩＮＦＯ０シーケンスのビット定義を示す図である。
【図１４】ファクシミリ装置ＦＳ１の動作を示すフローチャートである。
【図１５】ファクシミリ装置ＦＳ１の動作を示すフローチャートである。
【符号の説明】
ＦＳ１…ファクシミリ装置、
６…ハイブリッド回路、
８…変復調器、
１０…ＡＮＳａｍ送出回路、
１４…読取回路、
１６…記録回路、
２０…制御回路。
【図１】
0003715928.tif 000002
【図２】
0003715928.tif 000003
【図３】
0003715928.tif 000004
【図４】
0003715928.tif 000005
【図５】
0003715928.tif 000006
【図６】
0003715928.tif 000007
【図７】
0003715928.tif 000008
【図８】
0003715928.tif 000009
【図９】
0003715928.tif 000010
【図１０】
0003715928.tif 000011
【図１１】
0003715928.tif 000012
【図１２】
0003715928.tif 000013
【図１３】
0003715928.tif 000014
【図１４】
0003715928.tif 000015
【図１５】
0003715928.tif 000016